(57)【特許請求の範囲】
【請求項１】
車用装置とモバイル装置の登録と連結の方法において、
（１）車用装置の登録のステップであって、
ａ．第１自動車ディーラーがネットワークサーバーに向けて第１自動車ディーラーアカウントＩＤを申請し、該ネットワークサーバーの確認、承認の後、該第１自動車ディーラーアカウントＩＤは、該ネットワークサーバーのホームページ上で第１自動車ディーラーホームページを開いて、該第１自動車ディーラーの基本データと複数の車用装置の登録情報を入力することができるステップ、
ｂ．該第１自動車ディーラーが該ネットワークサーバーの第１自動車ディーラーホームページで該車用装置の登録データを入力し、該登録データは少なくとも、該車用装置のシリアルナンバーとプレートナンバーを包含し、該車用装置の登録データを該ネットワークサーバーに送出するステップ、
以上を包含するステップ、
（２）第３モバイル装置の登録ステップであって、
第３モバイル装置にユーザー専属マイクロタイプアプリケーションプログラムをインストールし、該第３モバイル装置の基本データを入力し、該第３モバイル装置の基本データは、該ネットワークサーバーにアップロードされ、該ネットワークサーバーはメッセージを該第３モバイル装置に伝送し、該第３モバイル装置が該メッセージを確認してはじめて、該第３モバイル装置は該ユーザー専属マイクロタイプアプリケーションプログラムを使用できるステップ、
（３）車用装置と第３モバイル装置の連結のステップであって、
ａ．該車用装置に車用専属マイクロタイプアプリケーションプログラムをインストールし、該第３モバイル装置と該車用装置はブルートゥースで対とされた後、相互に両者の基本データを伝送でき、該第３モバイル装置は該車用装置の基本データを取得し、該車用装置は該第３モバイル装置の基本データを取得できるステップ、
ｂ.該車用装置が該第３モバイル装置の基本データを取得した後、該車用装置は、
該第３モバイル装置と該車用装置の基本データを該ネットワークサーバーに伝送でき、該ネットワークサーバーは、該第３モバイル装置と該車用装置間でのデータの同期と、該車用専属マイクロタイプアプリケーションプログラムの使用アカウントの変換を行なうステップ、
以上を包含するステップ、
以上の（１）乃至（３）のステップを包含することを特徴とする、車用装置とモバイル装置の登録と連結の方法。
【請求項２】
請求項１記載の車用装置とモバイル装置の登録と連結の方法において、
上述の車用装置の登録ステップはさらに、自動車ディーラー変更ステップを包含し、該自動車ディーラー変更ステップは、
１．第２自動車ディーラーがネットワークサーバーに向けて第２自動車ディーラーアカウントＩＤを申請し、該ネットワークサーバーが確認承認した後、該第２自動車ディーラーアカウントＩＤは該ネットワークサーバーのホームページ上で第２自動車ディーラーホームページを開いて、該第２自動車ディーラーの基本データと複数の車用装置の登録データを入力するステップ、
２．該第２自動車ディーラーは、該ネットワークサーバーの第２自動車ディーラーホームページで該車用装置の登録データを入力し、該車用装置の登録データを該ネットワークサーバーに送出するステップ、
３．該ネットワークサーバーは該登録データを対比し、該ネットワークサーバーは新たなディーラーとしてログインするか否かを諮問し、該車用装置のスクリーンに該第１自動車ディーラーと該第２自動車ディーラーの頁を表示し、車のオーナーは該第２自動車ディーラーを消去でき、該車用装置は並びに該第１自動車ディーラーに対し、該第１自動車ディーラーホームページ上で、車のオーナーが該第１自動車ディーラーを解除して第２自動車ディーラーに変更したいことを通知し、該第１自動車ディーラーが同意をクリックするか、或いは一カ月応答しなければ、すなわち、該第１自動車ディーラーは該第２自動車ディーラーにより取って代わられるステップ、
以上を包含することを特徴とする、車用装置とモバイル装置の登録と連結の方法。
【請求項３】
請求項２記載の車用装置とモバイル装置の登録と連結の方法において、上述の第１自動車ディーラーと該第２自動車ディーラーは、該車用装置と該第３モバイル装置に向けて広告を発送するか、或いはメッセージを通知できることを特徴とする、車用装置とモバイル装置の登録と連結の方法。
【請求項４】
請求項１記載の車用装置とモバイル装置の登録と連結の方法において、上述のネットワークサーバーは、該車用装置がある設定期間に達すると、メッセージを発して該第１自動車ディーラー、該車用装置、該第３モバイル装置に送ることを特徴とする、車用装置とモバイル装置の登録と連結の方法。
【請求項５】
請求項２記載の車用装置とモバイル装置の登録と連結の方法において、上述のネットワークサーバーは、該車用装置がある設定期間に達すると、メッセージを発して該第１自動車ディーラーまたは第２自動車ディーラー、該車用装置、及び第３モバイル装置に送ることを特徴とする、車用装置とモバイル装置の登録と連結の方法。
【請求項６】
請求項１記載の車用装置とモバイル装置の登録と連結の方法において、上述の車用装置と第３モバイル装置の連結のステップは、さらに第３モバイル装置の連結解除のステップを包含し、該第３モバイル装置の接続が切断されて、該ユーザー専属マイクロタイプアプリケーションプログラムが起動されるとき、該車用装置との接続時の設定と通話記録が該第３モバイル装置上にダウンロードされることを特徴とする、車用装置とモバイル装置の登録と連結の方法。
【請求項７】
請求項１記載の車用装置とモバイル装置の登録と連結の方法において、上述の車用装置と第３モバイル装置の連結のステップは、さらに車用装置のバージョンアップのステップを包含し、該ユーザー専属マイクロタイプアプリケーションプログラムが該車用装置にペアリングする基本データを記録し、該第３モバイル装置が該ユーザー専属マイクロタイプアプリケーションプログラムを開くとき、該第３モバイル装置は該車用装置の基本データをリポートし、該ネットワークサーバーは該車用装置の基本データを更新する必要があるか否かを検査し、もし更新する必要があれば、ダウンロードメッセージを送信することを特徴とする、車用装置とモバイル装置の登録と連結の方法。
【請求項８】
請求項１記載の車用装置とモバイル装置の登録と連結の方法において、上述の第３モバイル装置は複数の車用装置とペアリングすることが可能で、該車用装置は複数の第３モバイル装置とペアリングすることが可能であることを特徴とする、車用装置とモバイル装置の登録と連結の方法。
【請求項９】
請求項１記載の車用装置とモバイル装置の登録と連結の方法において、上述の車用装置の登録ステップは、さらにプレートナンバー対比ステップを包含し、該プレートナンバー対比ステップは、
イ．該ネットワークサーバーが該登録データのプレートナンバーを対比し、もし新たなプレートナンバーであれば、自動車ディーラー専属マイクロタイプアプリケーションプログラムにより新たなクライアントとしてログインする必要があるか否かを諮問し、もしイエスであれば、新たなアカウントを開き、該アカウントに該登録データを記録し、もしノーであれば、プレートナンバーを確認するように応答し、並びに終了するステップ、
ロ．もしすでに登録されているプレートナンバーであれば、該登録データのユニバーサルユニーク識別子を対比し、もし同じであれば、データの新旧と異なる部分を対比して同期し、もしユニバーサルユニーク識別子が異なれば、新機に変更するかを質問し、もしイエスであれば、新たな車用装置に変更することを表示し、全てのデータを同期する。ただし、車用装置の設定期間は更新せず、もし回答がノーであれば、プレートナンバーと車用装置のシリアルナンバーを確認するように応答するステップ、
以上のステップを包含することを特徴とする、車用装置とモバイル装置の登録と連結の方法。
【請求項１０】
車用装置とモバイル装置の登録と連結の方法において、
（１）車用装置の登録のステップであって、
ａ．第１自動車ディーラーがネットワークサーバーに向けて第１自動車ディーラーアカウントＩＤを申請し、該ネットワークサーバーによる確認、承認の後、該第１自動車ディーラーアカウントＩＤは、該ネットワークサーバーのホームページ上で第１自動車ディーラーホームページを開いて、該第１自動車ディーラーの基本データと少なくとも一人の第１サービス員のデータ、及び、複数の車用装置の登録情報を入力するステップ、
ｂ．第１モバイル装置が自動車ディーラー専属マイクロタイプアプリケーションプログラムをインストールし、該第１サービス員の基本データを入力し、該第１サービス員の基本データを該第１自動車ディーラーホームページにアップロードし、該第１自動車ディーラーホームページによる確認、承認の後、該第１自動車ディーラーホームページが第１開通メッセージを該第１モバイル装置に発送し、該第１モバイル装置は該自動車ディーラー専属マイクロタイプアプリケーションプログラムを使用でき、該自動車ディーラー専属マイクロタイプアプリケーションプログラムはＱＲコード（登録商標）読み取りプログラムを包含するものとするステップ、
ｃ．第１サービス員が該第１モバイル装置の自動車ディーラー専属マイクロタイプアプリケーションプログラム中のＱＲコード（登録商標）読み取りプログラムを使用して、該車用装置のＱＲコード（登録商標）を読み取った後、プレートナンバーフィールドが出現し、該第１サービス員がプレートナンバーを入力した後、該車用装置の登録データを該ネットワークサーバーに送出するステップ、
以上を包含するステップ、
（２）第３モバイル装置の登録ステップであって、第３モバイル装置にユーザー専属マイクロタイプアプリケーションプログラムをインストールし、該第３モバイル装置の基本データを入力し、該第３モバイル装置の基本データは、該ネットワークサーバーにアップロードされ、該ネットワークサーバーはメッセージを該第３モバイル装置に伝送し、該第３モバイル装置が該メッセージを確認した後にはじめて、該第３モバイル装置は該ユーザー専属マイクロタイプアプリケーションプログラムを使用できるものとするステップ、
（３）車用装置と第３モバイル装置の連結のステップであって、
ａ．該車用装置に車用専属マイクロタイプアプリケーションプログラムをインストールし、該第３モバイル装置と該車用装置はブルートゥースでペアリングした後、相互に両者の基本データを伝送でき、該第３モバイル装置は該車用装置の基本データを取得し、該車用装置は該第３モバイル装置の基本データを取得するステップ、
ｂ.該車用装置が該第３モバイル装置の基本データを取得した後、該車用装置は、該第３モバイル装置と該車用装置の基本データを該ネットワークサーバーに伝送でき、該ネットワークサーバーは、該第３モバイル装置と該車用装置間のデータの同期と、該車用専属マイクロタイプアプリケーションプログラムの使用アカウントの変換を行なうステップ、 以上を包含するステップ、
以上を包含することを特徴とする、車用装置とモバイル装置の登録と連結の方法。
【請求項１１】
請求項１０記載の車用装置とモバイル装置の登録と連結の方法において、上述の車用装置の登録ステップはさらに、自動車ディーラー変更ステップを包含し、該自動車ディーラー変更ステップは、
１．第２自動車ディーラーがネットワークサーバーに向けて第２自動車ディーラーアカウントＩＤを申請し、該ネットワークサーバーが確認、承認した後、該第２自動車ディーラーアカウントＩＤは該ネットワークサーバーのホームページ上で第２自動車ディーラーホームページを開いて、該第２自動車ディーラーの基本データ、少なくとも一人の第２サービス員のデータ、及び複数の車用装置の登録データを入力できるステップ、
２．第２モバイル装置は自動車ディーラー専属マイクロタイプアプリケーションプログラムをインストールし、該第２サービス員の基本データを入力し、該第２サービス員の基本データを該第２自動車ディーラーホームページにアップロードし、該第２自動車ディーラーホームページの確認、承認の後、該第２自動車ディーラーホームページは第２開通メッセージを該第２モバイル装置に発送し、これにより該第２モバイル装置は該自動車ディーラー専属マイクロタイプアプリケーションプログラムを使用でき、該自動車ディーラー専属マイクロタイプアプリケーションプログラムはＱＲコード（登録商標）読み取りプログラムを包含するステップ、
３．該第２サービス員は該第２モバイル装置の自動車ディーラー専属マイクロタイプアプリケーションプログラム中のＱＲコード（登録商標）読み取りプログラムを使用して該車用装置のＱＲコード（登録商標）を読み取った後、該プレートナンバーフィールドが出現し得て、該第２サービス員が該プレートナンバーを入力した後、該車用装置の登録データを該ネットワークサーバーに送出するステップ、
４．該ネットワークサーバーは該登録データを対比し、該ネットワークサーバーは新たなディーラーとしてログインするか否かを諮問し、該車用装置のスクリーンに該第１自動車ディーラーと該第２自動車ディーラーの頁を表示し、車のオーナーは該第２自動車ディーラーを消去でき、該車用装置は並びに該第１自動車ディーラーに対し、該第１自動車ディーラーホームページ上で、車のオーナーが該第１自動車ディーラーを解除して第２自動車ディーラーに変更したいことを通知し、該第１自動車ディーラーが同意をクリックするか、或いは一カ月応答しなければ、すなわち、該第１自動車ディーラーは該第２自動車ディーラーにより取って代わられるステップ、
以上を包含することを特徴とする、車用装置とモバイル装置の登録と連結の方法。
【請求項１２】
請求項１１記載の車用装置とモバイル装置の登録と連結の方法において、上述の第１自動車ディーラーと該第２自動車ディーラーは、該車用装置と該第３モバイル装置に向けて広告を発送するか、或いはメッセージを通知できることを特徴とする、車用装置とモバイル装置の登録と連結の方法。
【請求項１３】
請求項１０記載の車用装置とモバイル装置の登録と連結の方法において、上述のネットワークサーバーは、該車用装置がある設定期間に達すると、メッセージを発して該第１自動車ディーラーまたは第２自動車ディーラー、該車用装置、該第１モバイル装置、該第３モバイル装置に送ることを特徴とする、車用装置とモバイル装置の登録と連結の方法。
【請求項１４】
請求項１１記載の車用装置とモバイル装置の登録と連結の方法において、上述のネットワークサーバーは、該車用装置がある設定期間に達すると、メッセージを発して該第１自動車ディーラーまたは第２自動車ディーラー、該車用装置、該>第１モバイル装置、該第２モバイル装置、該第３モバイル装置に送ることを特徴とする、車用装置とモバイル装置の登録と連結の方法。
【請求項１５】
請求項１０記載の車用装置とモバイル装置の登録と連結の方法において、上述の車用装置と第３モバイル装置の連結のステップは、さらに第３モバイル装置の連結解除のステップを包含し、該第３モバイル装置の接続が切断されて、該ユーザー専属マイクロタイプアプリケーションプログラムが開かれるとき、該車用装置の接続時の設定と通話記録が該第３モバイル装置上にダウンロードされることを特徴とする、車用装置とモバイル装置の登録と連結の方法。
【請求項１６】
請求項１０記載の車用装置とモバイル装置の登録と連結の方法において、上述の車用装置と第３モバイル装置の連結のステップは、さらに車用装置のバージョンアップのステップを包含し、該ユーザー専属マイクロタイプアプリケーションプログラムが該車用装置にペアリングする基本データを記録し、該第３モバイル装置が該ユーザー専属マイクロタイプアプリケーションプログラムを開くとき、該第３モバイル装置は該車用装置の基本データをリポートし、該ネットワークサーバーは該車用装置の基本データを更新する必要があるか否かを検査し、もし更新する必要があれば、ダウンロードメッセージを送信することを特徴とする、車用装置とモバイル装置の登録と連結の方法。
【請求項１７】
請求項１０記載の車用装置とモバイル装置の登録と連結の方法において、上述の第３モバイル装置は複数の車用装置とペアリングされ、該車用装置は複数の第３モバイル装置とペアリングされることを特徴とする、車用装置とモバイル装置の登録と連結の方法。
【請求項１８】
請求項１０記載の車用装置とモバイル装置の登録と連結の方法において、上述の車用装置の登録ステップは、さらにプレートナンバー対比ステップを包含し、該プレートナンバー対比ステップは、
イ．該ネットワークサーバーが該登録データのプレートナンバーを対比し、もし新たなプレートナンバーであれば、該自動車ディーラー専属マイクロタイプアプリケーションプログラムにより新たなクライアントとしてログインする必要があるか否かを諮問し、もしイエスであれば、新たなアカウントを開き、該アカウントに該登録データを記録し、もしノーであれば、プレートナンバーを確認するように応答し、並びに終了するステップ、
ロ．もしすでに登録されているプレートナンバーであれば、該登録データのユニバーサルユニーク識別子を対比し、もし同じであれば、データの新旧と異なる部分を対比して同期する。もしユニバーサルユニーク識別子が異なれば、新機に変更するかを質問し、もしイエスであれば、新たな車用装置に変更することを表示し、全てのデータを同期する。ただし、車用装置の設定期間は更新せず、もし回答がノーであれば、プレートナンバーと車用装置のシリアルナンバーを確認するように応答するステップ、
以上のステップを包含することを特徴とする、車用装置とモバイル装置の登録と連結の方法。
【発明の詳細な説明】
【技術分野】
【０００１】
本発明は一種の車用装置とモバイル装置の登録と連結の方法に係り、特に、車用装置とモバイル装置機能を統合できる登録と連結の方法を指し、モバイル装置を自由に使用可能とし、車用装置は自動車ディーラーにより管理し、両者を対とした後、車用装置とモバイル装置の機能を統合させることで、自動車ディーラーの通知或いは広告を車用装置とモバイル装置上に表示できるようにする方法に関する。
【背景技術】
【０００２】
スマートフォンの流行により、車載ホスト（或いは車載装置と称される）とスマートフォンが、通常ブルートゥース或いはＷＩ−ＦＩ（登録商標）を連結インタフェースとして連結され、ハンズフリー装置として或いは音楽の再生に用いられる。
【０００３】
ワイヤレスネットワークとモバイル装置の発達により、スマートフォンに専属マイクロタイプアプリケーションプログラムをインストールすることで、機能を増加するかその他の装置と連結させることは、すでに十分一般的なこととなっており、同時に、車用装置とスマートフォンの連結に用いられる専属マイクロタイプアプリケーションプログラムの発展によって、登録の自動車ディーラーが登録された車用装置と車用装置とペアリングするモバイル装置に向けて広告を発送するかメッセージを通知することができるようになった。
【０００４】
上述したように、車用通信要求は日増しに進歩し、且つ広く使用されるようになり、関係する特許技術には特許文献１〜６等がある。そのうち、最も典型的な技術は、特許文献６（図１を参照されたい。以下、周知技術と略称する。）のようなものであり、この周知技術は一種の、アプリケーションプログラム起動の方法、ハンドヘルド電子装置及び車用システムとされる。該アプリケーションプログラム起動の方法は以下を包含する。すなわち、ハンドヘルド電子装置と車用装置を連結させるとき（ステップＳ２０５）、ハンドヘルド電子装置が車用装置より識別情報を獲得する（ステップＳ２１０）。該車用装置は車両の電源接続ユニットに接続する（ステップＳ２１５）。この背景技術は、電子製品の使用性を増加できるが、却って登録メカニズムにより自動車ディーラーによる管理を提供することはできず、また識別情報をネットワークサーバーに伝送し、これにより車用装置とモバイル装置を統合して、自動車ディーラーの通知或いは広告を、両者を対となした後に後に、車用装置とモバイル装置上に表示させることはできず、このため車のオーナーに必要な期間中に、重要なメッセージ、たとえば、定期のメインテナンスの通知、優待メッセージの通知或いは車両の瑕疵によるリコールの緊急通知等のメッセージを受け取らせることができない。
【先行技術文献】
【特許文献】
【０００５】
【特許文献１】台湾特許第１２６０１３２号明細書
【特許文献２】台湾特許第１３７５４５３号明細書
【特許文献３】台湾特許第１３７８２２２号明細書
【特許文献４】台湾特許第Ｍ４５５３０３号明細書
【特許文献５】台湾特許第Ｍ４５５３０７号明細書
【特許文献６】台湾特許公開第２０１３３５８４６Ａ１号明細書
【発明の概要】
【発明が解決しようとする課題】
【０００６】
周知の欠点を鑑み、本発明者は、無数の研究と改良を重ね、遂に本発明の車用装置とモバイル装置の登録と連結の方法を完成した。すなわち、本発明の目的は、一種の、車用装置とモバイル装置の機能を統合できる登録と連結の方法を提供し、それにより、車用装置とモバイル装置の機能を統合して、自動車ディーラーの通知或いは広告を車用装置とモバイル装置上に表示できるようにすることにある。
【課題を解決するための手段】
【０００７】
上述の本発明の目的を達成するため、本発明の車用装置とモバイル装置の登録と連結の方法は、その第１実施例において、以下の（１）〜（３）のステップを包含する。
【０００８】
（１）車用装置の登録のステップ。
上記（１）車用装置の登録のステップは、以下のａ、ｂのステップを包含する。
ａ．第１自動車ディーラーがネットワークサーバーに向けて第１自動車ディーラーアカウントＩＤを申請し、該ネットワークサーバーの確認、承認の後、該第１自動車ディーラーアカウントＩＤは、該ネットワークサーバーのホームページ上で第１自動車ディーラーホームページを開いて、該第１自動車ディーラーの基本データと複数の車用装置の登録情報を入力することができる。
ｂ．該第１自動車ディーラーが該ネットワークサーバーの第１自動車ディーラーホームページで該車用装置の登録データを入力し、該登録データは少なくとも、該車用装置のシリアルナンバーとプレートナンバーを包含し、該車用装置の登録データを該ネットワークサーバーに送出する。
【０００９】
（２）第３モバイル装置の登録ステップ。
このステップは、第３モバイル装置にユーザー専属マイクロタイプアプリケーションプログラムをインストールし、該第３モバイル装置の基本データを入力し、該第３モバイル装置の基本データは、該ネットワークサーバーにアップロードされ、該ネットワークサーバーはメッセージを該第３モバイル装置に伝送し、該第３モバイル装置が該メッセージを確認してはじめて、該第３モバイル装置は該ユーザー専属マイクロタイプアプリケーションプログラムを使用できる。
【００１０】
（３）車用装置と第３モバイル装置の連結のステップ。
上記（３）車用装置と第３モバイル装置の連結のステップは、以下を包含する。
ａ．該車用装置に車用専属マイクロタイプアプリケーションプログラムをインストールし、該第３モバイル装置と該車用装置はブルートゥースで対とされた後、相互に両者の基本データを伝送でき、該第３モバイル装置は該車用装置の基本データを取得し、該車用装置は該第３モバイル装置の基本データを取得できる。
ｂ.該車用装置が該第３モバイル装置の基本データを取得した後、該車用装置は、該第３モバイル装置と該車用装置の基本データを該ネットワークサーバーに伝送でき、該ネットワークサーバーは、該第３モバイル装置と該車用装置間でのデータの同期と、該車用専属マイクロタイプアプリケーションプログラムの使用アカウント変換を行なう。
【００１１】
上述の（１）車用装置の登録ステップはさらに、自動車ディーラー変更ステップを包含し、該自動車ディーラー変更ステップは以下の１〜３を包含する。
１．第２自動車ディーラーがネットワークサーバーに向けて第２自動車ディーラーアカウントＩＤを申請し、該ネットワークサーバーが確認承認した後、該第２自動車ディーラーアカウントＩＤは該ネットワークサーバーのホームページ上で第２自動車ディーラーホームページを開いて、該第２自動車ディーラーの基本データと複数の車用装置の登録データを入力できる。
２．該第２自動車ディーラーは、該ネットワークサーバーの第２自動車ディーラーホームページで該車用装置の登録データを入力し、該車用装置の登録データを該ネットワークサーバーに送出する。
３．該ネットワークサーバーは該登録データを対比し、該ネットワークサーバーは新たなディーラーとしてログインするか否かを諮問し、該車用装置のスクリーンに該第１自動車ディーラーと該第２自動車ディーラーの頁を表示し、車のオーナーは該第２自動車ディーラーを消去でき、該車用装置は並びに該第１自動車ディーラーに対し、該第１自動車ディーラーホームページ上で、車のオーナーが該第１自動車ディーラーを解除して第２自動車ディーラーに変更したいことを通知し、該第１自動車ディーラーが同意をクリックするか、或いは一カ月応答しなければ、すなわち、該第１自動車ディーラーは該第２自動車ディーラーにより取って代わられる。
【００１２】
上述の該第１自動車ディーラーと該第２自動車ディーラーは、該車用装置と該第３モバイル装置に向けて広告を発送するか、或いはメッセージを通知できる。
【００１３】
上述のネットワークサーバーは、該車用装置がある設定期間に達すると、メッセージを発して該第１自動車ディーラーまたは該第２自動車ディーラー、該車用装置、該第１、第３モバイル装置に送る。
【００１４】
上述の（３）車用装置と第３モバイル装置の連結のステップは、さらに第３モバイル装置の連結解除のステップを包含し、該第３モバイル装置の接続が切断されて、該ユーザー専属マイクロタイプアプリケーションプログラムが起動されるとき、該車用装置との接続時の設定と通話記録が該第３モバイル装置上にダウンロードされる。
【００１５】
上述の（３）車用装置と第３モバイル装置の連結のステップは、さらに車用装置のバージョンアップのステップを包含し、該ユーザー専属マイクロタイプアプリケーションプログラムが該車用装置にペアリングする基本データを記録し、該第３モバイル装置が該ユーザー専属マイクロタイプアプリケーションプログラムを開くとき、該第３モバイル装置は該車用装置の基本データをリポートし、該ネットワークサーバーは該車用装置の基本データを更新する必要があるか否かを検査し、もし更新する必要があれば、ダウンロードメッセージを送信する。
【００１６】
上述の第３モバイル装置は複数の車用装置とペアリングすることが可能で、該車用装置は複数の第３モバイル装置とペアリングすることが可能である。
【００１７】
上述の（１）車用装置の登録ステップは、さらにプレートナンバー対比ステップを包含し、該プレートナンバー対比ステップは以下のイ、ロのステップを包含する。
イ．該ネットワークサーバーが該登録データのプレートナンバーを対比し、もし新たなプレートナンバーであれば、該自動車ディーラー専属マイクロタイプアプリケーションプログラムにより新たなクライアントとしてログインする必要があるか否かを諮問し、もしイエスであれば、新たなアカウントを開き、該アカウントに該登録データを記録し、もしノーであれば、「プレートナンバーを確認してください」と応答し、並びに終了する。
ロ．もしすでに登録されているプレートナンバーであれば、該登録データのユニバーサルユニーク識別子を対比し、もし同じであれば、データの新旧と異なる部分を対比して同期する。もしユニバーサルユニーク識別子が異なれば、「新機に変更しますか」と質問し、もしイエスであれば、新たな車用装置に変更することを表示し、全てのデータを同期する。ただし、車用装置の設定期間は更新しない。もし回答がノーであれば、「プレートナンバーと車用装置のシリアルナンバーを確認してください」と応答する。
【００１８】
本発明の車用装置とモバイル装置の登録と連結の方法の第２実施例は以下の（１）乃至（３）のステップを包含する。
【００１９】
（１）車用装置の登録のステップ。
上記（１）車用装置の登録のステップは、以下のａ、ｂ、ｃのステップを包含する。
ａ．第１自動車ディーラーがネットワークサーバーに向けて第１自動車ディーラーアカウントＩＤを申請し、該ネットワークサーバーによる確認、承認の後、該第１自動車ディーラーアカウントＩＤは、該ネットワークサーバーのホームページ上で第１自動車ディーラーホームページを開いて、該第１自動車ディーラーの基本データと少なくとも一人の第１サービス員のデータ、及び、複数の車用装置の登録情報を入力することができる。
ｂ．第１モバイル装置が自動車ディーラー専属マイクロタイプアプリケーションプログラムをインストールし、該第１サービス員の基本データを入力し、該第１サービス員の基本データを該第１自動車ディーラーホームページにアップロードし、該第１自動車ディーラーホームページによる確認、承認の後、該第１自動車ディーラーホームページが第１開通メッセージを該第１モバイル装置に発送し、該第１モバイル装置は該自動車ディーラー専属マイクロタイプアプリケーションプログラムを使用でき、該自動車ディーラー専属マイクロタイプアプリケーションプログラムはＱＲコード（登録商標）読み取りプログラムを包含する。
ｃ．第１サービス員が該第１モバイル装置の自動車ディーラー専属マイクロタイプアプリケーションプログラム中のＱＲコード（登録商標）読み取りプログラムを使用して、該車用装置のＱＲコード（登録商標）を読み取った後、プレートナンバーフィールドが出現し、該第１サービス員がプレートナンバーを入力した後、該車用装置の登録データを該ネットワークサーバーに送出する。
【００２０】
（２）第３モバイル装置の登録ステップ。
このステップでは、第３モバイル装置にユーザー専属マイクロタイプアプリケーションプログラムをインストールし、該第３モバイル装置の基本データを入力し、該第３モバイル装置の基本データは、該ネットワークサーバーにアップロードされ、該ネットワークサーバーはメッセージを該第３モバイル装置に伝送し、該第３モバイル装置が該メッセージを確認した後にはじめて、該第３モバイル装置は該ユーザー専属マイクロタイプアプリケーションプログラムを使用できる。
【００２１】
（３）車用装置と第３モバイル装置の連結のステップ。このステップは、以下を包含する。
ａ．該車用装置に車用専属マイクロタイプアプリケーションプログラムをインストールし、該第３モバイル装置と該車用装置はブルートゥースでペアリングした後、相互に両者の基本データを伝送でき、該第３モバイル装置は該車用装置の基本データを取得し、該車用装置は該第３モバイル装置の基本データを取得できる。
ｂ.該車用装置が該第３モバイル装置の基本データを取得した後、該車用装置は、該第３モバイル装置と該車用装置の基本データを該ネットワークサーバーに伝送でき、該ネットワークサーバーは、該第３モバイル装置と該車用装置間のデータの同期と、該車用専属マイクロタイプアプリケーションプログラムの使用アカウント変換を行なう。
【００２２】
上述の（１）車用装置の登録ステップはさらに、自動車ディーラー変更ステップを包含し、該自動車ディーラー変更ステップは以下の１〜４を包含する。
１．第２自動車ディーラーがネットワークサーバーに向けて第２自動車ディーラーアカウントＩＤを申請し、該ネットワークサーバーが確認、承認した後、該第２自動車ディーラーアカウントＩＤは該ネットワークサーバーのホームページ上で第２自動車ディーラーホームページを開いて、該第２自動車ディーラーの基本データ、少なくとも一人の第２サービス員のデータ、及び複数の車用装置の登録データを入力できる。
２．該第２モバイル装置は自動車ディーラー専属マイクロタイプアプリケーションプログラムをインストールし、該第２サービス員の基本データを入力し、該第２サービス員の基本データを該第２自動車ディーラーホームページにアップロードし、該第２自動車ディーラーホームページの確認、承認の後、該第２自動車ディーラーホームページは第２開通メッセージを該第２モバイル装置に発送し、これにより該第２モバイル装置は該自動車ディーラー専属マイクロタイプアプリケーションプログラムを使用でき、該自動車ディーラー専属マイクロタイプアプリケーションプログラムはＱＲコード（登録商標）読み取りプログラムを包含する。
３．該第２サービス員は該第２モバイル装置の自動車ディーラー専属マイクロタイプアプリケーションプログラム中のＱＲコード（登録商標）読み取りプログラムを使用して該車用装置のＱＲコード（登録商標）を読み取った後、該プレートナンバーフィールドが出現し得て、該第２サービス員が該プレートナンバーを入力した後、該車用装置の登録データを該ネットワークサーバーに送出する。
４．該ネットワークサーバーは該登録データを対比し、該ネットワークサーバーは新たなディーラーとしてログインするか否かを諮問し、該車用装置のスクリーンに該第１自動車ディーラーと該第２自動車ディーラーの頁を表示し、車のオーナーは該第２自動車ディーラーを消去でき、該車用装置は並びに該第１自動車ディーラーに対し、該第１自動車ディーラーホームページ上で、車のオーナーが該第１自動車ディーラーを解除して第２自動車ディーラーに変更したいことを通知し、該第１自動車ディーラーが同意をクリックするか、或いは一カ月応答しなければ、すなわち、該第１自動車ディーラーは該第２自動車ディーラーにより取って代わられる。
【００２３】
上述の該第１自動車ディーラーと該第２自動車ディーラーは、該車用装置と該第３モバイル装置に向けて広告を発送するか、或いはメッセージを通知できる。
【００２４】
上述のネットワークサーバーは、該車用装置がある設定期間に達すると、メッセージを発して該第１自動車ディーラーまたは該第２自動車ディーラー、該車用装置、該第１、第２、第３モバイル装置に送る。
【００２５】
上述の（３）車用装置と第３モバイル装置の連結のステップは、さらに第３モバイル装置の連結解除のステップを包含し、該第３モバイル装置の接続が切断されて、該ユーザー専属マイクロタイプアプリケーションプログラムが開かれるとき、該車用装置の接続時の設定と通話記録が該第３モバイル装置上にダウンロードされる。
【００２６】
上述の（３）車用装置と第３モバイル装置の連結のステップは、さらに車用装置のバージョンアップのステップを包含し、該ユーザー専属マイクロタイプアプリケーションプログラムが該車用装置にペアリングする基本データを記録し、該第３モバイル装置が該ユーザー専属マイクロタイプアプリケーションプログラムを開くとき、該第３モバイル装置は該車用装置の基本データをリポートし、該ネットワークサーバーは該車用装置の基本データを更新する必要があるか否かを検査し、もし更新する必要があれば、ダウンロードメッセージを送信する。
【００２７】
上述の第３モバイル装置は複数の車用装置とペアリングすることが可能で、該車用装置は複数の第３モバイル装置とペアリングすることが可能である。
【００２８】
上述の（１）車用装置の登録ステップは、さらにプレートナンバー対比ステップを包含し、該プレートナンバー対比ステップは以下のイ、ロのステップを包含する。
イ．該ネットワークサーバーが該登録データのプレートナンバーを対比し、もし新たなプレートナンバーであれば、該自動車ディーラー専属マイクロタイプアプリケーションプログラムにより新たなクライアントとしてログインする必要があるか否かを諮問し、もしイエスであれば、新たなアカウントを開き、該アカウントに該登録データを記録し、もしノーであれば、「プレートナンバーを確認してください」と応答し、並びに終了する。
ロ．もしすでに登録されているプレートナンバーであれば、該登録データのユニバーサルユニーク識別子を対比し、もし同じであれば、データの新旧と異なる部分を対比して同期する。もしユニバーサルユニーク識別子が異なれば、「新機に変更しますか」と質問し、もしイエスであれば、新たな車用装置に変更することを表示し、全てのデータを同期する。ただし、車用装置の設定期間は更新しない。もし回答がノーであれば、「プレートナンバーと車用装置のシリアルナンバーを確認してください」と応答する。
【発明の効果】
【００２９】
本発明の方法により、モバイル装置の機能が自由に使用され、車用装置を自動車ディーラーにより管理し、両者が対とされた後、自動車ディーラーと車用装置及び車用装置とペアリングするモバイル装置が連携のチャネルを構築し、これは車用装置とモバイル装置を統合することで達成できる機能である。
【図面の簡単な説明】
【００３０】
【図１】周知技術の方法のステップを示すフローチャートである。
【図２】本発明の第１実施例の第１自動車ディーラーの実施例表示図である。
【図３】本発明の第１実施例の方法のフローチャート（一）である。
【図４】本発明の第１、２実施例の方法のフローチャート（二）である。
【図５】本発明の第１、２実施例の方法のフローチャート（三）である。
【図６】本発明の第１実施例の第２自動車ディーラーの実施例表示図である。
【図７】本発明のプレートナンバー対比ステップのフローチャートである。
【図８】本発明の第２実施例の第１自動車ディーラーの実施例表示図である。
【図９】本発明の第２実施例の方法のフローチャート（一）である。
【図１０】本発明の第２実施例の方法のフローチャート（二）である。
【図１１】本発明の第２実施例の第２自動車ディーラーの実施例表示図である。
【図１２】本発明の工場実施例表示図である。
【発明を実施するための形態】
【００３１】
図２〜図５に示されるように、本発明の車用装置とモバイル装置の登録と連結の方法の第１実施例は以下の（１）乃至（３）のステップを包含する。
【００３２】
（１）車用装置の登録のステップ（ステップ６１）。
上記（１）車用装置の登録のステップは、以下のａ、ｂのステップを包含する。
【００３３】
ａ．第１自動車ディーラー２１がネットワークサーバー１に向けて第１自動車ディーラーアカウントＩＤを申請し、該ネットワークサーバー１による確認、承認の後、該第１自動車ディーラーアカウントＩＤは、該ネットワークサーバー１のホームページ上で第１自動車ディーラーホームページ２１１を開いて、該第１自動車ディーラー２１の基本データと複数の車用装置３の登録情報を入力することができる（ステップ６１１）。
ステップ６１１中で該第１自動車ディーラー２１はｅメールで該ネットワークサーバー１に向けて該第１自動車ディーラー２１の第１自動車ディーラーアカウントＩＤとパスワードを申請し、該ネットワークサーバー１による確認、承認の後、該第１自動車ディーラーアカウントＩＤは、該ネットワークサーバー１のホームページ上で第１自動車ディーラーホームページ２１１を開いて、該第１自動車ディーラー２１は該第１自動車ディーラー２１の基本データ（たとえば、該第１自動車ディーラー２１の電話番号、修理工場の電話番号、ＥＺ−ｔａｌｋ  アカウントＩＤ及びアドレス）及び複数の車用装置３の登録データを入力し、該第１自動車ディーラーホームページ２１１は、車のオーナークライアントの間のメッセージを管理し（もしクライアントのメッセージのチェック、車のオーナーの車両の故障或いはメインテナンス期限メッセージ、及びクライアントへの応答、或いは全ての或いは一部のクライアントに対するメッセージと広告の発布）、該第１自動車ディーラーホームページ２１１は該ネットワークサーバー１により管理制御される。
【００３４】
ｂ．該第１自動車ディーラー２１は該ネットワークサーバー１の第１自動車ディーラーホームページ２１１で該車用装置３の登録データを入力し、該登録データは少なくとも、該車用装置３のシリアルナンバーとプレートナンバーを包含し、並びに、該車用装置３の登録データを該ネットワークサーバー１に送出する（ステップ６１２）。
ステップ６１２中、該第１自動車ディーラー２１は、該ネットワークサーバー１の第１自動車ディーラーホームページ２１１で該車用装置３の登録データを入力し、該登録データは、少なくとも、該車用装置３のシリアルナンバーとプレートナンバーを包含し、該登録データはさらに、該車用装置３のユニバーサルユニーク識別子（ＵＵＩＤ）、該車用装置３のバージョンを包含してもよく、並びに該車用装置３の登録データを該ネットワークサーバー１に送出し、該ネットワークサーバー１は、該登録データを該第１自動車ディーラーホームページ２１１に保存する。
【００３５】
（２）第３モバイル装置３３の登録ステップ（ステップ６２）。このステップは以下を包含する。
第３モバイル装置３３にユーザー専属マイクロタイプアプリケーションプログラムがインストールされ、該第３モバイル装置３３の基本データが入力され、該第３モバイル装置３３の基本データは、該ネットワークサーバー１にアップロードされ、該ネットワークサーバー１はメッセージ３４を該第３モバイル装置３３に伝送し、該第３モバイル装置３３が該メッセージを確認した後にはじめて、該第３モバイル装置３３は該ユーザー専属マイクロタイプアプリケーションプログラムを使用できる。
ステップ６２中、該第３モバイル装置３３にユーザー専属マイクロタイプアプリケーションプログラムがインストールされ（ステップ６２１）、該第３モバイル装置３３はスマートフォン或いはタブレットＰＣとされ、該第３モバイル装置３３の基本データ（たとえば電話番号と氏名）が入力され、並びに基本データが該ネットワークサーバー１にアップロードされ（ステップ６２２）、該ネットワークサーバー１がメッセージ３４を該第３モバイル装置３３に発送し、該第３モバイル装置３３が該メッセージ３４を確認した後（ステップ６２３）、該第３モバイル装置３３は該ユーザー専属マイクロタイプアプリケーションプログラムを使用でき（ステップ６２４）、該第３モバイル装置３３と該ネットワークサーバー１は、３Ｇ、４Ｇ、５Ｇ連結によりデータを伝送する。どのようなスマートフォンでも、ユーザー専属マイクロタイプアプリケーションプログラムのダウンロードと登録が行なえ、内部にＱＲコード（登録商標）読み取りプログラム、ＥＺ−ｔａｌｋ、Ｅ−ｗｈｅｒｅ等のマイクロタイプアプリケーションプログラムを有している。車用装置を購入しなくても、スマートフォン単独で使用でき、ただスマートフォンモードを有していればよい。車用装置を購入しても車用装置に組み合わせることができ、製品説明書上と車用装置マイクロタイプアプリケーションプログラム目録上にＱＲコード（登録商標）とマイクロタイプアプリケーションプログラム名称を有し、スマートフォンＱＲコード（登録商標）読み取りプログラムは、オンラインでスマートフォンにダウンロードするか、或いはＡＰＰ  ｓｔｏｒｅ／Ｇｏｏｇｌｅ  ｐｌａｙより手動でユーザー専属マイクロタイプアプリケーションプログラムをダウンロードできる。
【００３６】
（３）車用装置と第３モバイル装置の連結のステップ（ステップ６３）。このステップは以下を包含する。
【００３７】
ａ．該車用装置に車用専属マイクロタイプアプリケーションプログラムをインストールし、該第３モバイル装置３３と該車用装置３はブルートゥースでペアリングした後、相互に両者の基本データを伝送でき、該第３モバイル装置は該車用装置３の基本データを取得し、該車用装置３は該第３モバイル装置３３の基本データを取得できる（ステップ６３１）。
ステップ６３１中、該第１自動車ディーラー２１が販売する車用装置３に車用専属マイクロタイプアプリケーションプログラムがインストールされ、該第３モバイル装置３３と該車用装置３がブルートゥースでペアリングするとき、該車用装置３のスクリーンには「ペアリング時には、該ユーザー専属マイクロタイプアプリケーションプログラムを起動して下さい」のように表示され、これにより、将来車用専属マイクロタイプアプリケーションプログラムを使用できるようにし、続いて、該車用装置３のスクリーンに、「確認」或いは「車用専属マイクロタイプアプリケーションプログラム放棄」が表示され、「確認」がクリックされると、該第３モバイル装置３３が該ユーザー専属マイクロタイプアプリケーションプログラムを起動することが確認され、もし、該ユーザー専属マイクロタイプアプリケーションプログラムが起動しなければ、もう一度提示し、もし放棄が選択されれば、「該第３モバイル装置３３はパーソナルエリアネットワーク（ＰＡＮ）共有不能です」のように表示され、新たにペアリング削除し、再度ペアリングを行なわねば、該車用装置３は該第３モバイル装置３３のペアリングデータたとえばブルートゥース位置（例えばＢｌｕｅｔｏｏｔｈ（登録商標）  ｍａｃ  ａｄｄｒｅｓｓである。）と電話番号を取得して、この二つのＩＤにより該第３モバイル装置アカウントＩＤを該車用装置アカウントＩＤに連結することができない。該第３モバイル装置３３と該車用装置３のブルートゥースのペアリングの後、相互に両者の基本データ（たとえばＷＩＦＩ（登録商標）、ゴールドキー、電話番号と氏名）を伝送でき、該第３モバイル装置３３は該車用装置３の基本データを取得でき、該車用装置３は該第３モバイル装置３３の基本データを取得できる。
【００３８】
ｂ.該車用装置３が該第３モバイル装置３３の基本データを取得した後、該車用装置３は、該第３モバイル装置３３と該車用装置３の基本データを該ネットワークサーバー１に伝送でき、該ネットワークサーバー１は、該第３モバイル装置３３と該車用装置３間でデータの同期と、該車用専属マイクロタイプアプリケーションプログラムの使用アカウント変換を行なう（ステップ６３２）。
ステップ６３２中、該車用装置３が該第３モバイル装置３３の基本データを取得した後、該車用装置３は、ブルートゥースでＰＡＮに接続して該ネットワークサーバー１に接続し、該車用装置３は該ネットワークサーバー１に向けて、すでにペアリングされた第３モバイル装置３３を報告し、並びに該第３モバイル装置３３と該車用装置３の基本データ（たとえば、該車用装置３のユニバーサルユニーク識別子と、該第３モバイル装置３３にマッチングするブルートゥース装置の位置）を該ネットワークサーバー１に伝送し、該ネットワークサーバー１は、該第３モバイル装置３３と該車用装置３間でデータの同期と該車用専属マイクロタイプアプリケーションプログラムの使用アカウント変換を行ない、たとえば、ＥＺｔａｌｋが該第３モバイル装置３３の最後の一つの通話対象の通話記録をダウンロードする。該第３モバイル装置３３は乗車時に、車用装置モードに転じ、下車時にスマートフォンモードに転じる。基本上、車のオーナーが使用するユーザー専属マイクロタイプアプリケーションプログラムは、該第３モバイル装置３３アカウントＩＤを主とし、該第３モバイル装置３３乗車後、車用装置３は該第３モバイル装置３３のアカウントＩＤを使用し車用専属マイクロタイプアプリケーションプログラム機能を継続する。
【００３９】
図６に示されるように、車のオーナーが自動車ディーラー（或いは修理工場、メインテナンス工場）を変更するとき、新たな自動車ディーラーは該ネットワークサーバー１に向けて、新たな自動車ディーラーアカウントＩＤを申請しなければならず、新たな自動車ディーラーのサービス員はそれにより該自動車ディーラー専属マイクロタイプアプリケーションプログラムを使用できる。本発明の車用装置とモバイル装置の登録と連結の方法によると、そのうち、該車用装置の登録ステップは、さらに、自動車ディーラー変更のステップを包含し、該自動車ディーラー変更ステップは以下の１〜３を包含する。
【００４０】
１．第２自動車ディーラー２２がネットワークサーバー１に向けて第２自動車ディーラーアカウントＩＤを申請し、該ネットワークサーバー１による確認、承認の後、該第２自動車ディーラーアカウントＩＤは該ネットワークサーバー１のホームページ上で第２自動車ディーラーホームページ２２１を開いて、該第２自動車ディーラー２２の基本データと複数の車用装置３の登録データを入力できる（ステップ６１３）。
ステップ６１３中、該第２自動車ディーラー２２は、ｅメールでネットワークサーバー１に向けて、該第２自動車ディーラー２２の第２自動車ディーラーアカウントＩＤとパスワードを申請し、該ネットワークサーバー１による確認、承認の後、該第２自動車ディーラーアカウントＩＤは、該ネットワークサーバー１のホームページ上で、第２自動車ディーラーホームページ２２１を開いて、該第２自動車ディーラー２２は該第２自動車ディーラー２２の基本データ（たとえば、該第２自動車ディーラー２２の電話番号、修理工場の電話番号、ＥＺ−ｔａｌｋアカウントＩＤ、アドレス）と複数の車用装置３の登録データを入力し、該第２自動車ディーラーホームページ２２１は、車のオーナーのクライアントとの間のメッセージの管理（クライアントからのメッセージ、車のオーナーの車両の故障或いは保証期限（Ｗａｒｒａｎｔｙ）メッセージ、及びクライアントへの応答等のメッセージのチェック、或いは全ての或いは一部のクライアントに対するメッセージと広告の発布）を行なう。該第２自動車ディーラーホームページ２２１は該ネットワークサーバー１により管理制御される。
【００４１】
２．該第２自動車ディーラー２２が該ネットワークサーバー１の該第２自動車ディーラーホームページ２２１で該車用装置３の登録データを入力し、該車用装置３の登録データを該ネットワークサーバー１に送出する（ステップ６１４）。
ステップ６１４中、該第２自動車ディーラー２２は該ネットワークサーバー１の第２自動車ディーラーホームページ２２１で該車用装置３の登録データを入力し、該車用装置３の登録データを該ネットワークサーバー１に送出し、該ネットワークサーバー１は該登録データを該第２自動車ディーラーホームページ２２１に保存する。
【００４２】
３．該ネットワークサーバー１は該登録データを対比し、該ネットワークサーバー１はログインするのが新しい自動車ディーラーであるか否かを質問し、該車用装置３のスクリーンには、該第１自動車ディーラー２１と該第２自動車ディーラー２２の頁が表示され、車のオーナーは自動的に該第２自動車ディーラー２２の頁を消去でき、該車用装置３は並びに該第１自動車ディーラー２１に、該第１自動車ディーラーホームページ２１１において、車のオーナーが該第１自動車ディーラー２１を解除して、該第２自動車ディーラー２２に変更したいことを通知し、該第１自動車ディーラー２１が同意をクリックするか一カ月応答しなければ、すなわち、該第１自動車ディーラー２１は該第２自動車ディーラー２２により取って代わられる（ステップ６１５）。
ステップ６１５中、該ネットワークサーバー１は該登録データを対比して、もし自動車ディーラーが伝送したものと異なれば、該ネットワークサーバー１は新しい自動車ディーラーとしてログインするかを質問し、もし「イエス」と回答されれば、暫時該第２自動車ディーラー２２としてログインし、並びに次に該車用装置３が該ネットワークサーバー１に接続されるときに、新しい自動車ディーラーに変更するのに同意するかを質問し、該車用装置３のスクリーンに該第１自動車ディーラー２１と第２自動車ディーラー２２の頁を表示し、並びに該新しい自動車ディーラーとしてログインするかを質問し、もし同意しなければ、車のオーナーは該第２自動車ディーラー２２を消去でき、もし同意すれば、該第２自動車ディーラー２２のデータを該車用装置３の第２自動車ディーラーの頁にダウンロードし、該車用装置３はならびに該第１自動車ディーラー２１に対し、該第１自動車ディーラーホームページ２１１において、車のオーナーが該第１自動車ディーラー２１を解除して、該第２自動車ディーラー２２に変更しようとしていることを通知し、もし、該第１自動車ディーラー２１が同意をクリックするか、或いは一カ月応答しなければ、すなわち、該第１自動車ディーラー２１は該第２自動車ディーラー２２によりとって代わられる。
【００４３】
上述のネットワークサーバー１は、該車用装置３がある設定期間、たとえば該車用装置３の保証期間、ナビゲーションマップ無料更新期間或いは新しいナビゲーションソフト無料更新期間、車両定期メインテナンス（走行距離一万キロメートル或いは６カ月ごと）等に達すると、メッセージを発して該第１自動車ディーラー２１、該車用装置３、該第３モバイル装置３３に送り、毎回車両の電源がオンされるとき（ＡＣＣ  ｏｎ）、該車用装置３はブルートゥースＰＡＮを介してネットワークサーバー１に接続してメインテナンス走行距離累計をネットワークサーバー１にリポートする。
【００４４】
上述の第２モバイル装置３３は、複数の車用装置３（たとえば４個の車用装置３）にペアリングでき、該車用装置３は複数の第３モバイル装置（たとえば４つの第３モバイル装置３３）にペアリングできる。
【００４５】
上述の第１自動車ディーラーホームページ２１１と該第２自動車ディーラーホームページ２２１は、自動車ディーラーデータベース１２に保存されて該ネットワークサーバー１により管理制御され、該第３モバイル装置３３の基本データは、ユーザーデータベース１３に保存されて、該ネットワークサーバー１により管理制御される。
【００４６】
上述の（３）車用装置と第３モバイル装置３３の連結のステップは、さらに第３モバイル装置３３の連結解除のステップを包含し、該第３モバイル装置３３の接続が切断されて、該ユーザー専属マイクロタイプアプリケーションプログラムが起動されるとき、該車用装置３との接続時の設定と通話記録が該第３モバイル装置３３上にダウンロードされる。
【００４７】
上述の（３）車用装置と第３モバイル装置の連結のステップは、さらに車用装置３のバージョンアップのステップを包含し、すなわち、該ユーザー専属マイクロタイプアプリケーションプログラムが該車用装置３のペアリングの基本データ（たとえば、ユニバーサルユニーク識別子、各ソフトウエアファームウエアのバージョンコード）を記録し、該第３モバイル装置３３が該ユーザー専属マイクロタイプアプリケーションプログラムを起動するとき、該第３モバイル装置３３は、該車用装置３のバージョン（すなわち、該車用装置３の核ソフトウエアファームウエアのバージョン）をレポートし、該ネットワークサーバー１は該車用装置３のバージョン（該車用装置３の核ソフトウエアファームウエアのバージョン）に更新の必要があるかを検査し、もし更新の必要があれば、ダウンロードメッセージを発生する。
【００４８】
上述の（１）車用装置の登録ステップ（ステップ６１）は、さらにプレートナンバー対比ステップを包含し、該プレートナンバー対比ステップは以下を包含する（図３、７に示されるとおり）。
【００４９】
イ．該ネットワークサーバー１が該登録データのプレートナンバーを対比し、もし新たなプレートナンバーであれば、該自動車ディーラー専属マイクロタイプアプリケーションプログラムにより新たなクライアントとしてログインする必要があるか否かを質問し、もしイエスであれば、新たなアカウントＩＤを開き、該アカウントＩＤは該登録データを記録し、もしノーであれば、「プレートナンバーを確認してください」と応答し、並びに終了する（ステップ６４１）。
ステップ６４１中、該ネットワークサーバー１は該登録データのプレートナンバーを対比し、もし新たなプレートナンバーであれば、該自動車ディーラー専属マイクロタイプアプリケーションプログラムを通して新しいクライアントをログインするのか否かを質問し、もし回答が「イエス」であれば、新たに一つのアカウントＩＤを設け、そのアカウントＩＤを該登録データ（車用装置シリアルナンバーと車用装置の各関係データ、車用装置の保証期限、ナビゲーションソフトの使用期限、ユニバーサルユニーク識別子、核ペアリングのスマートフォンブルートゥース位置、次のメインテナンスまでの走行距離（ナビゲーションソフトが計算）に記録し、もし回答が「ノー」であれば、「プレートナンバーを確認して下さい」と応答し、並びに終了する。
【００５０】
ロ．もしすでに登録されているプレートナンバーであれば、該登録データのユニバーサルユニーク識別子を対比し、もし同じであれば、データの新旧と異なる部分を対比して同期する。もしユニバーサルユニーク識別子が異なれば、「新機に変更しますか」と質問し、もしイエスであれば、新たな車用装置３に変更することを表示し、全てのデータを同期する。ただし、車用装置の設定期間は更新しない。もし回答がノーであれば、「プレートナンバーと車用装置３のシリアルナンバーを確認してください」と応答する（ステップ６４２）。
ステップ６４２中、もしすでに登録されているプレートナンバーであれば、すなわち、該登録データのユニバーサルユニーク識別子を対比して、もし同じであれば、ペアリングデータの新旧と異なる部分を同期する。もしユニバーサルユニーク識別子が異なれば、すなわち、「新機に更新しますか」と質問し、もしイエスであれば、すなわち新しい車用装置３への更新を表示し（故障修理）、全てのデータを同期するが、ただし該車用装置の設定期間（たとえば、保証期間、ナビゲーションマップ無料更新期間、或いは新しいナビゲーションソフトの無料更新期間、或いは車両定期メインテナンスたとえば一万キロメートル或いは６カ月ごと）に更新しない。もし「ノー」と回答されれば、すなわち、「プレートナンバーと車用装置３のシリアルナンバーを確認して下さい」と応答する。
【００５１】
上述のプレートナンバー対比のステップは、該車用装置３を変更しても、該車用装置３の設定或いは保証の有効期間内に、変更されないように維持することができる。
【００５２】
図８に示されるように、本発明の車用装置とモバイル装置の登録と連結の方法の第２実施例は以下の（１）乃至（３）を包含する。
【００５３】
（１）車用装置の登録のステップ（ステップ７１、図９に示されるとおり）。この車用装置の登録のステップは、以下のａ、ｂ、ｃを包含する。
【００５４】
ａ．第１自動車ディーラー２１がネットワークサーバー１に向けて第１自動車ディーラーアカウントＩＤを申請し、該ネットワークサーバー１による確認、承認の後、該第１自動車ディーラーアカウントＩＤは、該ネットワークサーバー１のホームページ上で第１自動車ディーラーホームページ２１１を開いて、該第１自動車ディーラー２１の基本データと少なくとも一人の第１サービス員２１２のデータ、及び、複数の車用装置３の登録情報を入力することができる（ステップ７１１）。
ステップ７１１の動作において、該第１自動車ディーラー２１はｅメールで該ネットワークサーバー１に向けて、該第１自動車ディーラー２１の第１自動車ディーラーアカウントＩＤとパスワードを申請し、該ネットワークサーバー１による確認、承認の後、該第１自動車ディーラーアカウントＩＤは該ネットワークサーバー１のホームページ上で第１自動車ディーラーホームページ２１１を開くことができ、該第１自動車ディーラー２１は該第１自動車ディーラー２１の基本データ（たとえば該第１自動車ディーラー２１の連絡先電話番号、修理工場の電話番号、ＥＺ−ｔａｌｋナンバー、アドレス）と少なくとも一つの第１サービス員２１２（代表者或いは工場長）のデータ、及び複数の車用装置３の登録データを入力し、該第１自動車ディーラーホームページ２１１は第１サービス員２１２（代表、工場長の変更或いは連絡記録、及び車のオーナークライアントのメッセージ、車のオーナーの車両の故障或いは保証期限、クライアント等のメッセージへの応答、或いは全ての或いは一部のクライアントに対してハップするメッセージと広告）を管理し、該第１自動車ディーラーホームページ２１１は該ネットワークサーバー１により管理制御される。
【００５５】
ｂ．第１モバイル装置３１は自動車ディーラー専属マイクロタイプアプリケーションプログラムをインストールし、該第１サービス員２１２の基本データを入力し、該第１サービス員２１２の基本データを該第１自動車ディーラーホームページ２１１にアップロードし、該第１自動車ディーラーホームページ２１１が確認、承認の後、該第１自動車ディーラーホームページ２１１が第１開通メッセージ２１３を該第１サービス員２１２の第１モバイル装置３１に発送し、該第１サービス員２１２の第１モバイル装置３１はこれにより該自動車ディーラー専属マイクロタイプアプリケーションプログラムを使用できるようになり、該自動車ディーラー専属マイクロタイプアプリケーションプログラムはＱＲコード（登録商標）読み取りプログラムを包含する（ステップ７１２）。
ステップ７１２中、該モバイル装置３１（スマートフォン或いはタブレットＰＣとされる）に自動車ディーラー専属マイクロタイプアプリケーションプログラムがインストールされ、該第１サービス員２１２の基本データ（職業、姓名、電話番号及び該第１自動車ディーラーアカウントＩＤ）を入力し、該第１サービス員２１２の基本データを該第１自動車ディーラーホームページ２１１にアップロードし、該第１自動車ディーラーホームページ２１１を通して、確認、承認の後、該第１自動車ディーラーホームページ２１１は第１開通メッセージ２１３を該第１サービス員２１２の第１モバイル装置３１に発送し、該第１サービス員２１２の第１モバイル装置３１はこれにより該自動車ディーラー専属マイクロタイプアプリケーションプログラムを使用できるようになる。該第１自動車ディーラー２１はたとえば、該第１サービス員２１２が離職するか或いは車のオーナークライアントが所属する代表を交換するとき、該第１サービス員２１２の自動車ディーラー専属マイクロタイプアプリケーションプログラム使用権を終了できる。該自動車ディーラー専属マイクロタイプアプリケーションプログラムはＱＲコード（登録商標）読み取りプログラムを包含する。該第１モバイル装置３１は該ネットワークサーバー１と、３Ｇ、４Ｇ、５Ｇ連結によりデータ伝送を行なう。
【００５６】
ｃ．第１サービス員２１２が該第１モバイル装置の自動車ディーラー専属マイクロタイプアプリケーションプログラム中のＱＲコード（登録商標）読み取りプログラムを使用して、該車用装置３のブルートゥース頁上のＱＲコード（登録商標）を読み取ると、プレートナンバーフィールド３１１が出現し、該第１サービス員２１２がプレートナンバーを入力した後、該車用装置３の登録データを該ネットワークサーバー１に送出する（ステップ７１３）。
ステップ７１３中の該第１サービス員２１２が、該自動車ディーラー専属マイクロタイプアプリケーションプログラムのＱＲコード（登録商標）読み取りプログラムを使用して、該車用装置３のブルートゥース頁上のＱＲコード（登録商標）を読み取ると（該ＱＲコード（登録商標）は該車用装置３のシリアルナンバー、ユニバーサルユニーク識別子及びバージョンを包含する）、プレートナンバーフィールド３１１が出現し、該第１サービス員２１２はプレートナンバーを入力し、確認した後に、該車用装置３の登録データを該ネットワークサーバー１に送出し、該登録データは、少なくとも、該プレートナンバー、該車用装置３のユニバーサルユニーク識別子、該車用装置３のシリアルナンバー、該車用装置３のバージョンを包含し、該ネットワークサーバー１は該登録データを該第１自動車ディーラーホームページ２１１に保存する。
【００５７】
（２）第３モバイル装置３３の登録ステップ（ステップ６２、図４に示されるとおり）。
このステップでは、第３モバイル装置３３にユーザー専属マイクロタイプアプリケーションプログラムがインストールされ、該第３モバイル装置３３の基本データが入力され、該第３モバイル装置３３の基本データは、該ネットワークサーバー１にアップロードされ、該ネットワークサーバー１はメッセージ３４を該第３モバイル装置３３に伝送し、該第３モバイル装置３３が該メッセージを確認した後にはじめて、該第３モバイル装置３３は該ユーザー専属マイクロタイプアプリケーションプログラムを使用できる。
ステップ６２中、該第３モバイル装置３３にユーザー専属マイクロタイプアプリケーションプログラムがインストールされ（ステップ６２１）、該第３モバイル装置３３はスマートフォン或いはタブレットＰＣとされ、該第３モバイル装置３３の基本データ（たとえば電話番号と氏名）が入力され、並びに基本データは該ネットワークサーバー１にアップロードされる（ステップ６２２）。該ネットワークサーバー１はメッセージ３４を該第３モバイル装置３３に発送し、該第３モバイル装置３３が該メッセージ３４を確認（ステップ６２３）した後、該第３モバイル装置３３は、該ユーザー専属マイクロタイプアプリケーションプログラムを使用でき（ステップ６２４）、該第３モバイル装置３３と該ネットワークサーバー１は、３Ｇ、４Ｇ、５Ｇを通して接続されデータを伝送する。いかなるスマートフォンであっても、ユーザー専属マイクロタイプアプリケーションプログラムをダウンロードして登録でき、該ユーザー専属マイクロタイプアプリケーションプログラムは、ＱＲコード（登録商標）読み取りプログラム、ＥＺ−ｔａｌｋ、Ｅ−ｗｈｅｒｅ等を包含する。車用装置を購入しなくとも、スマートフォン単独で使用することもでき、ただスマートフォンモードを有していればよい。車用装置を購入して車用装置に組み合わせることもでき、製品説明書上と車用装置のマイクロタイプアプリケーションプログラム上にＱＲコード（登録商標）にマイクロタイプアプリケーションプログラム名称があり、スマートフォンＱＲコード（登録商標）読み取りプログラムでネットワークに接続しユーザー専属マイクロタイプアプリケーションプログラムをスマートフォンにダウンロードするか、或いは手動でＡＰＰ  ｓｔｏｒｅ／Ｇｏｏｇｌｅ  ｐｌａｙよりユーザー専属マイクロタイプアプリケーションプログラムをダウンロードできる。
【００５８】
（３）車用装置と第３モバイル装置の連結のステップ（ステップ６３、図５に示されるとおり）。このステップは、以下を包含する。
【００５９】
ａ．該車用装置に車用専属マイクロタイプアプリケーションプログラムをインストールし、該第３モバイル装置３３と該車用装置３はブルートゥースマッチングした後、相互に両者の基本データを伝送でき、該第３モバイル装置３３は該車用装置３の基本データを取得し、該車用装置３は該第３モバイル装置３３の基本データを取得できる（ステップ６３１）。
ステップ６３１中、該第１自動車ディーラー２１が販売した車用装置３に車用専属マイクロタイプアプリケーションプログラムがインストールされ、該第３モバイル装置３３が該車用装置３とブルートゥースマッチングされるとき、該車用装置３のスクリーンに、「マッチング時にはユーザー専属マイクロタイプアプリケーションプログラムを起動してください」のように表示され、将来ユーザー専属マイクロタイプアプリケーションプログラムを使用できるようにし、続いて、該車用装置３のスクリーンに、「確認」或いは「ユーザー専属マイクロタイプアプリケーションプログラムキャンセル」のように表示され、「確認」をクリックすると、この第３モバイル装置３３が該ユーザー専属マイクロタイプアプリケーションプログラムを起動し、もし該ユーザー専属マイクロタイプアプリケーションプログラムが起動しなければ、再度提示し、もし、キャンセルをクリックすると、第３モバイル装置３３がパーソナルローカルエリアネットワークシェアリングを利用してオンラインすることができないことを表示し、ペアリングを削除して再度ペアリングするのでなければ、該車用装置３は該モバイル装置３３のペアリングデータたとえばブルートゥース装置位置と電話番号を取得し、この二つのＩＤを利用して該第３モバイル装置アカウントＩＤと該車用装置のアカウントＩＤを連結する。該第３モバイル装置３３と該車用装置３がブルートゥースペアリングを行なった後、相互に両者の基本データ（たとえば、ＷＩＦＩ（登録商標）、ゴールドキー、電話番号と氏名）を伝送でき、該第３モバイル装置３３は該車用装置３の基本データを取得でき、該車用装置３は該第３モバイル装置３３の基本データを取得できる。
【００６０】
ｂ.該車用装置３が該第３モバイル装置３３の基本データを取得した後、該車用装置３は、該第３モバイル装置３３と該車用装置３の基本データを該ネットワークサーバー１に伝送でき、該ネットワークサーバー１は、該第３モバイル装置３３と該車用装置３間でデータの同期を行ない、該車用専属マイクロタイプアプリケーションプログラムの使用権の変換を行なう（ステップ６３２）。
ステップ６３２中、該車用装置３は該第３モバイル装置３３の基本データを取得した後、該車用装置３は、ブルートゥースでパーソナルローカルエリアネットワークに接続して該ネットワークサーバー１に接続し、該車用装置３は該ネットワークサーバー１に該基本データをアップロードでき、該ネットワークサーバー１に向けて、すでにペアリングされた第３モバイル装置３３を報告し、並びに該第３モバイル装置３３と該車用装置３の基本データ（たとえば、該車用装置３のユニバーサルユニーク識別子と該第３モバイル装置３３にマッチング接続されるブルートゥース装置位置）を該ネットワークサーバー１に伝送し、該ネットワークサーバー１は、該第３モバイル装置３３と該車用装置３の間でデータの同期と該車用専属マイクロタイプアプリケーションプログラムの使用アカウント変換を行ない、該第３モバイル装置３３の最後の一つの通話対象の通話記録をダウンロードする。該第３モバイル装置３３は車に乗っているときは、車用装置モードに変換され、車をおりるときは、スマートフォンモードに変換される。基本上、車のオーナーはユーザー専属マイクロタイプアプリケーションプログラムを使用して該第３モバイル装置３３のアカウントＩＤをメインとし、該第３モバイル装置３３は車上にあるとき、該第３モバイル装置３３のアカウントＩＤを使用して続いて車用専属マイクロタイプアプリケーションプログラムの機能を使用できる。
【００６１】
図１１に示されるように、車のオーナーが自動車ディーラー（或いは修理工場、メインテナンス工場）を変更するとき、新しい自動車ディーラーは、該ネットワークサーバー１に向けて、新しい自動車ディーラーアカウントＩＤを申請しなければならず、新しい自動車ディーラーのサービス員はそれによって該自動車ディーラー専属マイクロタイプアプリケーションプログラムを使用でき、本発明の車用装置とモバイル装置の登録と接続の方法によると、そのうち、該車用装置の登録ステップは、さらに、自動車ディーラー変更のステップを包含し、それは、以下を包含する（図９、１０を参照されたい）。
【００６２】
（１）第２自動車ディーラー２２がネットワークサーバー１に向けて第２自動車ディーラーアカウントＩＤを申請し、該ネットワークサーバー１が確認、承認した後、該第２自動車ディーラーアカウントＩＤは該ネットワークサーバー１のホームページ上で第２自動車ディーラーホームページ２２１を開いて、該第２自動車ディーラー２２の基本データ、少なくとも一人の第２サービス員２２２のデータ、及び複数の車用装置３の登録データを入力できる（ステップ７２１）。
ステップ７２１中、該第２自動車ディーラー２２は、ｅメールでネットワークサーバー１に向けて、第２自動車ディーラーアカウントＩＤとパスワードを申請し、該ネットワークサーバー１が確認、承認した後、該第２自動車ディーラーアカウントＩＤは該ネットワークサーバー１のホームページ上で第２自動車ディーラーホームページ２２１を開いて、該第２自動車ディーラー２２は該第２自動車ディーラー２２の基本データ（たとえば、該第２自動車ディーラー２２の連絡先電話番号、修理工場の電話番号、ＥＺ−ｔａｌｋアカウントＩＤ、アドレス）、少なくとも一人の第２サービス員２２２（該第２サービス員２２２は代表或いは工場長とされ得る）のデータ、及び複数の車用装置３の登録データを入力でき、該第２自動車ディーラーホームページ２２１は第２サービス員２２２の変更、連絡記録及び車のオーナークライアントとの間のメッセージを管理できる（たとえば、クライアントの伝言、車のオーナーの車両の故障或いは保証期限及びクライアントへの応答等のメッセージ、或いは全ての或いは一部のクライアントに対して発布したメッセージ或いは広告）、該第２自動車ディーラーホームページ２２１は該ネットワークサーバー１により管理制御される。
【００６３】
（２）該第２モバイル装置３２は自動車ディーラー専属マイクロタイプアプリケーションプログラムをインストールし、該第２サービス員２２２の基本データを入力し、該第２サービス員２２２の基本データを該第２自動車ディーラーホームページ２２１にアップロードし、該第２自動車ディーラーホームページ２２１の確認、承認の後、該第２自動車ディーラーホームページ２２１は第２開通メッセージ２２３を該第２サービス員２２２の該第２モバイル装置３２に発送し、これにより該第２サービス員２２２の該第２モバイル装置３２は該自動車ディーラー専属マイクロタイプアプリケーションプログラムを使用でき、該自動車ディーラー専属マイクロタイプアプリケーションプログラムはＱＲコード（登録商標）読み取りプログラムを包含する（ステップ７２２）。
ステップ７２２中、該第２サービス員２２２の該第２モバイル装置３２（スマートフォン或いはタブレットＰＣとされる）は、自動車ディーラー専属マイクロタイプアプリケーションプログラムをインストールし、該第２サービス員２２２の基本データ（役職名、氏名、電話番号及び該第１自動車ディーラーアカウントＩＤ）を入力し、該第２サービス員２２２の基本データを該第２自動車ディーラーホームページ２２１にアップロードし、該第２自動車ディーラーホームページ２２１の確認、承認の後、該第２自動車ディーラーホームページ２２１は第２開通メッセージ２２３を該第２サービス員２２２の該第２モバイル装置３２に発送し、これにより該第２サービス員２２２の該第２モバイル装置３２は該自動車ディーラー専属マイクロタイプアプリケーションプログラムを使用できる。該第２自動車ディーラー２２はたとえば、該第２サービス員２２２が離職するか車のオーナークライアントが所属する担当が変更になるとき、該第２サービス員２２２の該自動車ディーラー専属マイクロタイプアプリケーションプログラムの使用アカウントを終了できる。該自動車ディーラー専属マイクロタイプアプリケーションプログラムはＱＲコード（登録商標）読み取りプログラムを包含し、そのうち、該第２モバイル装置３２と該ネットワークサーバー１は、３Ｇ、４Ｇ、５Ｇにより接続されデータを伝送する。
【００６４】
（３）該第２サービス員２２２は該第２モバイル装置の自動車ディーラー専属マイクロタイプアプリケーションプログラム中のＱＲコード（登録商標）読み取りプログラムを使用して該車用装置のＱＲコード（登録商標）を読み取った後、該プレートナンバーフィールド３１１が出現し得て、該第２サービス員２２２が該プレートナンバーを入力した後、該車用装置３の登録データを該ネットワークサーバー１に送出する（ステップ７２３）。
ステップ７２３中、該第２サービス員２２２が自動車ディーラー専属マイクロタイプアプリケーションプログラムのＱＲコード（登録商標）読み取りプログラムを使用して該車用装置３のブルートゥース頁上のＱＲコード（登録商標）（該ＱＲコード（登録商標）は該車用装置３のシリアルナンバー、ユニバーサルユニーク識別子、バージョンを包含する）を読み取ると、プレートナンバーフィールド３１１が出現し、該第２サービス員２２２が該プレートナンバーを入力した後、確認後に該車用装置３の登録データを該ネットワークサーバー１に送出する。該登録データは、少なくとも該プレートナンバー、該車用装置３のユニバーサルユニーク識別子、該車用装置３のシリアルナンバー、該車用装置３のバージョンを包含し、該ネットワークサーバー１は該登録データを該第２自動車ディーラーホームページ２２１に保存する。
【００６５】
（４）該ネットワークサーバー１は該登録データを対比し、該ネットワークサーバー１は新たなディーラーとしてログインするか否かを諮問し、該車用装置３のスクリーンに該第１自動車ディーラー２１と該第２自動車ディーラー２２の頁を表示し、車のオーナーは該第２自動車ディーラー２２のページを自動消去でき、該車用装置３は並びに該第１自動車ディーラー２１に対し、該第１自動車ディーラーホームページ２１１上で、車のオーナーが該第１自動車ディーラー２１を解除して第２自動車ディーラー２２に変更したいことを通知し、該第１自動車ディーラー２１が同意をクリックするか、或いは一カ月応答しなければ、すなわち、該第１自動車ディーラー２１は該第２自動車ディーラー２２により取って代わられる（ステップ７２４）。
ステップ７２４中、該ネットワークサーバー１は該登録データを対比し、もし自動車ディーラーがすでに伝送したものと異なっていれば、該ネットワークサーバー１は新たなディーラーとしてログインするか否かを諮問し、回答がイエスであれば、暫時該第２自動車ディーラー２２としてログインし、並びに次に該車用装置３が該ネットワークサーバー１に接続されるときに、新たな自動車ディーラーに変更することに同意するか否かを質問し、該車用装置３のスクリーンに該第１自動車ディーラー２１と該第２自動車ディーラー２２の頁を表示する。続いて、新たな自動車ディーラーとしてログインするか否かを質問し、同意しなければ、車のオーナーは該第２自動車ディーラー２２を削除でき、もし同意すれば、該第２自動車ディーラー２２のデータを該車用装置３の第２自動車ディーラーのページにダウンロードし、該車用装置３は並びに該第１自動車ディーラー２１に対し、該第１自動車ディーラーホームページ２１１上で、車のオーナーが該第１自動車ディーラー２１を解除して第２自動車ディーラー２２に変更したいことを通知し、該第１自動車ディーラー２１が同意をクリックするか、或いは一カ月応答しなければ、すなわち、該第１自動車ディーラー２１は該第２自動車ディーラー２２により取って代わられる。
【００６６】
上述のネットワークサーバー１は、該車用装置３において設定期間に達すると（該設定期間は、該車用装置３の保証期間、ナビゲーションマップ無料更新期間、或いは新ナビゲーションソフトウエアの無料更新期間、車両定期メインテナンス（一万キロメートルごと或いは６カ月ごと）、メッセージを該第１自動車ディーラー２１に発送し、該車用装置３及び該第１、２、３モバイル装置３１、３２、３３は、毎回車両電源が起動されるとき（ＡＣＣ  ｏｎ）、該車用装置３ブルートゥースパーソナルローカルエリアネットワークは該ネットワークサーバー１に接続し、メインテナンス走行距離類型をリポートする。
【００６７】
上述の第３モバイル装置３３は複数の車用装置３（たとえば、四つの車用装置３）とペアリングでき、該車用装置３は複数の第３モバイル装置３３（たとえば四つの第３モバイル装置３３）とペアリングできる。
【００６８】
上述の第１自動車ディーラーホームページ２１１と該第２自動車ディーラーホームページ２２１は、自動車ディーラーデータベース１２に保存されて該ネットワークサーバー１により管理制御され得て、該第３モバイル装置３３の基本データは、ユーザーデータベース１３に保存されて該ネットワークサーバー１により管理制御され得る。
【００６９】
上述の車用装置３と第３モバイル装置３３の連結のステップは、さらに第３モバイル装置３３の連結解除のステップを包含し、該第３モバイル装置３３の接続が切断されて、該ユーザー専属マイクロタイプアプリケーションプログラムが開かれるとき、該車用装置３の接続時の設定と通話記録が該第３モバイル装置３３上にダウンロードされる。
【００７０】
上述の車用装置３と第３モバイル装置３３の連結のステップは、さらに車用装置３のバージョンアップのステップを包含し、該ユーザー専属マイクロタイプアプリケーションプログラムが該車用装置３にペアリングする基本データ（たとえばユニバーサルユニーク識別子、各ソフトウエアファームウエアのバージョンコード）を記録し、該第３モバイル装置３３が該ユーザー専属マイクロタイプアプリケーションプログラムを開くとき、該第３モバイル装置３３は該車用装置３のバージョンをリポートし（すなわち、該車用装置３の各ソフトウエアファームウエアのバージョン）、該ネットワークサーバー１は該車用装置３のバージョン（すなわち、該車用装置３の各ソフトウエアファームウエアのバージョン）を更新する必要があるか否かを検査し、もし更新する必要があれば、ダウンロードメッセージを送信する。
【００７１】
上述の車用装置３の登録ステップは、さらにプレートナンバー対比ステップを包含し、該プレートナンバー対比ステップは以下のステップを包含する（図７、９、１０に示されるとおり）。
【００７２】
イ．該ネットワークサーバー１が該登録データのプレートナンバーを対比し、もし新たなプレートナンバーであれば、該自動車ディーラー専属マイクロタイプアプリケーションプログラムにより新たなクライアントとしてログインする必要があるか否かを諮問し、もしイエスであれば、新たなアカウントを開き、該アカウントに該登録データを記録し、もし、回答がノーであれば、「プレートナンバーを確認してください」と応答し、並びに終了する（ステップ６４１）。
ステップ６４１中、該ネットワークサーバー１が該登録データのプレートナンバーを対比し、もし新たなプレートナンバーであれば、該自動車ディーラー専属マイクロタイプアプリケーションプログラムにより新たなクライアントとしてログインする必要があるか否かを諮問し、もしイエスであれば、新たなアカウントを開き、該アカウントに該登録データを記録し（車用装置シリアルナンバーと車用装置の各関係データ、車用装置保証期限、ナビゲーションソフトの使用期限、ユニバーサルユニーク識別子、各ペアリングのスマートフォンブルートゥース装置の位置、次のメインテナンスまでの走行処理（ナビゲーションソフト計算）を包含する）、もし、回答がノーであれば、「プレートナンバーを確認してください」と応答し、並びに終了する。
【００７３】
ロ．もしすでに登録されているプレートナンバーであれば、該登録データのユニバーサルユニーク識別子を対比し、もし同じであれば、データの新旧と異なる部分を対比して同期する。もしユニバーサルユニーク識別子が異なれば、「新機に変更しますか」と質問し、もしイエスであれば、新たな車用装置に変更することを表示し、全てのデータを同期する。ただし、車用装置の設定期間は更新しない。もし回答がノーであれば、「プレートナンバーと車用装置のシリアルナンバーを確認してください」と応答する（ステップ６４２）。
ステップ６４２中、もしすでに登録されているプレートナンバーであれば、すなわち、該登録データのユニバーサルユニーク識別子を対比し、もし同じであれば、データの新旧と異なるところを対比し、同期し、もしユニバーサルユニーク識別子が異なれば、すなわち、新機に更新するかを質問し、もし、イエスであれば、すなわち新しい車用装置３への更新を表示し（故障修理）、全てのデータを同期させ、ただし車用装置３の設定期間（たとえば保証期間、ナビゲーションマップ無料更新期間、或いは新しいナビゲーションソフトの無料更新期間、或いは車両の定期メインテナンスたとえば各一万マイル走行距離或いは六カ月毎）は更新しない。もし回答がノーであれば、車のプレートナンバーと車用装置３のシリアルナンバーを確認するように応答する。
【００７４】
上述のプレートナンバー対比ステップは、該車用装置３を変更しても、該車用装置３の設定或いは保証の有効期限内であれば、いずれも変更されないようにすることができる。
【００７５】
図１２に示されるように、本発明の車用装置とモバイル装置の登録と連結の方法において、さらに車工場４を包含し、該車工場４が発布する広告と通知は、該車工場４に所存する自動車ディーラー２とこれらの自動車ディーラー２に協力し登録する車用装置３に関連する第３モバイル装置３３に送られる。
【００７６】
上述の自動車ディーラー２が発布する広告と通知は、自動車ディーラー２が協力し登録する車用装置３に関連する第３モバイル装置３３にいたる。該自動車ディーラー２は車のメインテナンス広告の連携は、車のプレートナンバーをメインとする。
【００７７】
上述のネットワークサーバー１が発布する広告と通知は全ての車用装置３関連の第３モバイル装置３３と全てのその他のユーザー専属マイクロタイプアプリケーションプログラムをインストールしたモバイル装置に伝送される。
【００７８】
上述のネットワークサーバー１は、該車用装置３のユニバーサルユニーク識別子或いはシリアルナンバーに基づき、アカウントＩＤをサーチし、該自動車ディーラー２の連絡データを該車用装置３にダウンロードし、該車用装置３の自動車ディーラーページ内に入力する。該第３モバイル装置３３が該ユーザー専属マイクロタイプアプリケーションプログラムを起動し、該車用装置３とブルートゥースペアリングを行なうとき、該自動車ディーラー２のデータも同時に該第３モバイル装置３３の自動車ディーラーページ内に入力され、将来のサーチと連携に供される。
【００７９】
本発明の主要な精神と特徴は、モバイル装置の登録において、モバイル装置のユーザーが自主的にユーザー専属マイクロタイプアプリケーションプログラムをダウンロードし並びに登録を完成し、車用装置はもう一つの自動車ディーラー専属マイクロタイプアプリケーションプログラムにより自動車ディーラーが登録でき、車のプレートナンバーと車用装置の登録データを登録してアップロードすることにある。
【００８０】
総合すると、本発明の車用装置とモバイル装置の登録と連結の方法は、車用装置とモバイル装置の機能を総合でき、これによりモバイル装置を自由に使用して、車用装置を自動車ディーラーが管理し、両者のペアリングにより、自動車ディーラーと車用装置及び車用装置にペアリングされるモバイル装置が連携のチャネルを構築し、有効に、周知の技術の欠点を解決し、且つ本発明の方法はこれまでにはない技術であって、特許に必要な新規性と進歩性の要件を具えている。
【００８１】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００８２】
［周知技術］
Ｓ２０５  ステップ
Ｓ２１０  ステップ
Ｓ２１５  ステップ
［本発明］
１  ネットワークサーバー
１２  自動車ディーラーデータベース
１３  ユーザーデータベース
２  自動車ディーラー
２１  第１自動車ディーラー
２１１  自動車ディーラーホームページ
２１２  第１サービス員
２１３  第１開通メッセージ
２２  第２自動車ディーラー
２２１  第２自動車ディーラーホームページ
２２２  第２サービス員
２２３  第２開通メッセージ
３  車用装置
３１  第１モバイル装置
３１１  ナンバープレートフィールド
３２  第２モバイル装置
３３  第３モバイル装置
３４  メッセージ
４  車工場
６１  ステップ
６１１  ステップ
６１２  ステップ
６１３  ステップ
６１４  ステップ
６１５  ステップ
６２    ステップ
６２１  ステップ
６２２  ステップ
６２３  ステップ
６２４  ステップ
６３    ステップ
６３１  ステップ
６３２  ステップ
６４１  ステップ
６４２  ステップ
７１    ステップ
７１１  ステップ
７１２  ステップ
７１３  ステップ
７２１  ステップ
７２２  ステップ
７２３  ステップ
７２４  ステップ
【図１】
0005940110.tif 000002
【図２】
0005940110.tif 000003
【図３】
0005940110.tif 000004
【図４】
0005940110.tif 000005
【図５】
0005940110.tif 000006
【図６】
0005940110.tif 000007
【図７】
0005940110.tif 000008
【図８】
0005940110.tif 000009
【図９】
0005940110.tif 000010
【図１０】
0005940110.tif 000011
【図１１】
0005940110.tif 000012
【図１２】
0005940110.tif 000013